(57)【要約】【課題】成形品（模型用部品）の外観に影響を与えず、ランナー等の不要な部分が発生しない成形物（模型用部品提供体）の成形装置、成形物及び模型用部品提供体を提案する。【解決手段】少なくとも第１の成形品を成形する第１の成形空間と、第２の成形品を成形する第２の成形空間と、第１の成形空間及び第２の成形空間に成形材料を注入する連通する成形材射出口とを有し、第１の成形空間と第２の成形空間はそれぞれ接続部分を有しており、第１の成形空間と第２の成形空間は、互いの接続部分を介して連通しており、第１の成形空間と第２の成形空間との接続部分同士の接合部の断面積は、接合部付近の他の領域の断面積より小さく設けられている。【選択図】図１
0003151526.tif 000002
【実用新案登録請求の範囲】
【請求項１】
少なくとも第１の模型用部品と第２の模型用部品を含む模型用部品提供体であって、
第１の模型用部品は半球状部を有しており、当該半球状部は、第２の模型用部品の表面に略点接触にて接続されていることを特徴とする模型部品提供体。
【請求項２】
少なくとも第１の模型用部品と第２の模型用部品を含む模型用部品提供体であって、
第１の模型用部品および第２の模型用部品はそれぞれ半球状部を有しており、半球状部同士が略点接触にて接続されていることを特徴とする模型部品提供体。
【請求項３】
ピンゲートを用いた射出成形により成形されたものであることを特徴とする、請求項１または２のいずれかに記載の模型用部品提供体。
【考案の詳細な説明】
【技術分野】
【０００１】
本考案は、成形物、模型用部品提供体を成形する成形装置及び成形物、模型用部品提供体に関するものである。
【背景技術】
【０００２】
従来、成形金型の成形空間にランナー溝、ゲートを介して合成樹脂材料を射出注入して成形する方法が、プラスチックモデルのパーツ（模型用部品）等の成形品を作成する際に用いられている。この成形方法によってランナーに薄い接続部を介して成形品が取り付けられた成形物が成形される。このような成形物は模型用部品提供体として、箱に包装される等してプラスチックモデルキットとして販売され、購入客に模型用部品を提供する。
【０００３】
従来の成形方法によって成形される成形物（模型用部品提供体）は、ランナーの薄い接続部を切断することにより成形品（模型用部品）をランナーから切り離すが、切断すると成形品（模型用部品）に接続部の切り取り跡が形成される。この切り取り跡は、成形品（模型用部品）の外観を悪くし、また成形品（模型用部品）同士の取り付けに際し極めて邪魔になるため、やすりで削り落としたりして除去する必要があった。この切り取り跡を除去する作業は、年少者や不慣れな人には難しく、成形品（模型用部品）の表面を傷付け、模型としての商品価値を落としてしまうという問題点があった。
【０００４】
そこで、ランナーの接続部を切断する作業と残った切り取り跡を削り落とす作業を不要とした成形物（模型用部品提供体）の成形方法として、図７（Ａ）に示すように、先の工程でランナー７０１と保持部７０２を第１の合成樹脂素材で成形し、図７（Ｂ）に示すように、後の工程で該保持部をインサートするようにして、第１の合成樹脂素材より融点の低い第２の合成樹脂素材で成形品７０３を一体形成する方法が提案されている（例えば、特許文献１）。
【特許文献１】特開平１０−１００１９６号公報
【考案の開示】
【考案が解決しようとする課題】
【０００５】
しかしながら、上記の成形物（模型用部品提供体）の成形方法により成形された成形物（模型用部品提供体）７０３は、後の工程で成形された成形品（模型用部品）７０３が保持部７０２に溶着しないため、成形品（模型用部品）を保持部から簡単に取り外すことができるものの、成形品（模型用部品）には保持部が保持されていた穴の跡が残ってしまい、不恰好となっていた。また、ランナーや保持部は、成形品（模型用部品）を取り外した後は廃棄物となり、環境破壊の要因となっていた。さらに、ランナーや保持部を廃棄可能な場所で行う必要があり、作業可能な場所が限られていた。
【０００６】
そこで、本考案では、成形品（模型用部品）の外観に影響を与えず、ランナー等の不要な部分が発生しない成形物（模型用部品提供体）の成形装置、成形物及び模型用部品提供体を提案する。
【課題を解決するための手段】
【０００７】
本考案の成形装置は、少なくとも第１の成形品を成形する第１の成形空間と、第２の成形品を成形する第２の成形空間と、第１の成形空間及び第２の成形空間に成形材料を注入する連通する成形材射出口と、を有し、第１の成形空間と第２の成形空間はそれぞれ接続部分を有しており、第１の成形空間と第２の成形空間は互いの接続部分を介して連通しており、第１の成形空間と第２の成形空間との接続部分同士の接合部の断面積は、接合部付近の他の領域の断面積より小さく設けられている。
【０００８】
また、本考案の成形装置は、少なくとも第１の成形品を成形する第１の成形空間と、第２の成形品を成形する第２の成形空間と、第１の成形空間上に設けられた、第１の成形品表面と連通するランナーを成形する第１のランナー溝と、第２の成形空間上に設けられた、第２の成形品表面と連通する第２のランナー溝と、第１のランナー溝及び第２のランナー溝と連通する成形材射出口と、を有し、第１の成形空間と第２の成形空間は、第１のランナー溝及び第２のランナー溝、及び前記第１の成形空間と前記第２の成形空間とを接続する接続部分を介して連通しており、第１の成形空間と第２の成形空間との接続部分の接点部分の断面積は、接点部分付近の他の領域の断面積より小さく設けられている。
【０００９】
また、本考案の成形物は、少なくとも２つ以上の成形品が接続部において接続されており、接続部の接点における断面積は、接点付近の他の領域の断面積に比べて小さく形成されており、成形物の少なくとも１つの表面には、成形材料を注入するための注入跡が形成されている。
【００１０】
また、本考案の成形物は、第１の開口部が設けられた棒状の第１の支持部材と、第１の開口部と噛合する第１の凸部が設けられた棒状の第２の支持部材と、第１の開口部と噛合する第２の凸部が設けられ、側面に凹部が形成された棒状の第１の軸部材と、凹部に噛合する固定部が設けられた棒状の第２の軸部材と、を有し、第１の支持部材、第２の支持部材、第１の軸部材、第２の軸部材の少なくとも１つの表面に、成形材料の注入跡が形成されており、第１の支持部材と、第２の支持部材と、第１の軸部材と、第２の軸部材とは接合されており、接合部分の接点における断面積は、接合部付近の他の領域の断面積に比べて小さく形成されている。
【００１１】
また、本考案の成形物において、第１の支持部材の表面に第２の開口部が形成され、第２の支持部材の表面に第３の開口部が形成され、第１の軸部材の端部に第１の開口部、第２の開口部と噛合する突起部が形成されていることが好ましい。また、第１の軸部材の側面に複数の前記凹部が設けられ、複数の凹部は、それぞれほぼ同形・同大であり、第２の軸部材の側面に、複数の凹部に噛合する複数の固定部が設けられていることが好ましい。
【００１２】
また、本考案の模型用部品提供体は、少なくとも第１の模型用部品と第２の模型用部品を含み、第１の模型用部品は半球状部を有しており、当該半球状部は、第２の模型用部品の表面に略点接触にて接続されている。
【００１３】
また、本考案の模型用部品提供体は、少なくとも第１の模型用部品と第２の模型用部品を含み、第１の模型用部品および第２の模型用部品はそれぞれ半球状部を有しており、半球状部同士が略点接触にて接続されている。
【００１４】
また、本考案の模型用部品提供体は、ピンゲートを用いた射出成形により成形されたものであることが好ましい。
【考案の効果】
【００１５】
本考案の成形装置を用いることによって、外観に影響を与えず、不要な部分が発生しない成形物を成形することが可能である。また、本考案の成形物、模型用部品提供体によれば、成形物（模型用部品）の切り取りによる外観への影響を少なくし、ランナー等の不要な部分を少なくすることが可能である。
【考案を実施するための最良の形態】
【００１６】
（実施の形態１）
本実施の形態の成形装置の断面の模式図を図１に示す。本実施の形態の成形装置は図１に示すように、成形材料を射出する射出装置の移動側に取り付けられる移動金型本体１０２と、射出装置の固定側に取り付けられる固定金型本体１０３とを有する。移動金型本体１０２と固定金型本体１０３とにはそれぞれ成形材料が流入される溝が形成されている。
【００１７】
ここで、図２を用いて本実施の形態の成形物（模型用部品提供体）２０１の外観について説明する。図２に示すように、成形物（模型用部品提供体）２０１は、成形品（模型用部品）であるところの、第１の支持部材２０２と、第２の支持部材２０３と、第１の軸部材２０４と、第２の軸部材２０５と、を有する。また、それぞれの部材（模型用部品）は、半球状の接続部（半球状部）２０６を有している。それぞれの部材（模型用部品）同士は、接続部（半球状部）を他の部材の表面に手で切り離すことが可能な程度に略点接触させるか、接続部（半球状部）２０６同士を接点２０７において手で切り離すことが可能な程度に略点接触させることによって接続されている。
【００１８】
また、図２に示す成形物（模型用部品提供体）は、成形材料を注入する成形材射出口と成形物との間にランナーを設けないように、例えば、金型から取り外す際に射出口と成形物との間のスプルー・ランナーが切り離される成形方法（ピンゲート方式）や、スプルー・ランナーが排出されないホットランナー金型を用いて成形物に直接的に成形材料を注入する方法で成形することができる。図２に示す成形物（模型用部品提供体）はピンゲートを用いた射出成形により成形されており、表面に注入跡（ゲート跡）２０８が形成されている。なお、ホットランナー金型を用いた成形方法のほうが、廃棄物が出ないため好ましい。
【００１９】
ここで、図１を用いて、成形装置の構造について説明する。なお、図１は、図２の点Ａと点Ｂとを結ぶ破線における成形物を成形する位置での成形装置の断面模式図である。本実施の形態の成形装置１０１は、図１に示すように移動金型本体１０２と固定金型本体１０３とを有している。
【００２０】
移動金型本体１０２は、共通金型１０４と、雄型１０６と、雄型１０６を固定する固定台１０７と、成形材射出装置に取り付けられる移動側取付板１０８と、固定台１０７と移動側取付板１０８との間に設けられたスペーサ１０９と、を有している。ここで、共通金型１０４と雄型１０６との間に、第１の支持部材２０２を成形するための成形材料が注入される成形空間２０２ａ、第２の支持部材２０３を成形するための成形材料が注入される成形空間２０３ａ、第１の軸部材２０４を成形するための成形材料が注入される成形空間２０４ａが形成される。
【００２１】
なお、固定台１０７には空室１１０が形成され、空室１１０内には移動可能な押し出し板１１１が設けられている。押し出し板１１１は、固定台１０７に形成された開口部１１２に設けられた押圧軸１１３に固定されている。また、押し出し板１１１には、雄型１０６を貫通するノックアウトピン１１４が設けられている。ここで、押し出し板１１１を移動することにより、ノックアウトピン１１４の先端が成形品（模型用部品、第１の支持部材２０２、第２の支持部材２０３、第１の軸部材２０４等）を成型する成形空間２０２ａ、２０３ａ、２０４ａに突出するように形成されている。ノックアウトピン１１４で成形物（模型用部品提供体）を押し上げることにより、成形物（模型用部品提供体）を金型から取り外し易くすることができる。
【００２２】
また、固定金型本体１０３は、成形材射出装置に取り付けられる固定取付板１１５と、雌型１１６とを有している。固定取付板１１５には成形材射出口１１７が設けられており、雌型１１６と共通金型１０４には、成形材射出口１１７から射出された成形材料を成形空間２０２ａ、２０３ａ、２０４ａに流し込むためのランナー溝１１８が形成されている。
【００２３】
図１に示す成形装置において、ランナー溝１１８や成形空間２０２ａ、２０３ａ、２０４ａに成形材料を流入して成形物（模型用部品提供体）を形成した後、雌型１１６、共通金型１０４、雄型１０６をそれぞれ離間し、押圧板１１６を押圧して押し出し板１１１を移動させると、押し出し板１１１に設けられたノックアウトピン１１３が移動金型本体１０２を構成する雄型１０６に付着した成形物（模型用部品提供体）を押し出し、成形物（模型用部品提供体）を容易に取り出すことができる。
【００２４】
また、点Ｃと点Ｄとを結ぶ破線部分における成形装置の断面模式図を図３に示す。図３において、成形品（模型用部品）２０２を成形するための成形空間２０２ａ、成形品（模型用部品）２０３を成形するための成形空間２０３ａが図示されている。ここで、成形空間２０２ａと成形空間２０３ａとは、それぞれ接続部分２０６ａを有している。この接続部分２０６ａにより成形品（模型用部品）２０２、２０３上には接続部（半球状部）２０６が成形される。また、成形空間２０２ａと成形空間２０３ａは、互いの接続部分２０６ａを介して連通している。また、接続部分２０６ａ同士が接合する接合部２０７ａは、他の部分より断面積が小さく形成されている。より具体的には、接続部２０６ａ同士は略点接触しており、接合部２０７ａは接点部分にあたる。これにより、成形された成形物（模型用部品）２０２と成形物（模型用部品）２０３とは互いに接合した接合部分が他の部分より細く形成され、手で切り離すことが可能な程度の略点接触にて接続されたものとすることができる。なお、図３において、他の部分は図１に示すものと同様のため省略する。
【００２５】
本実施の形態の成形装置１０１を用いることにより図２に示すような成形物（模型用部品提供体）２０１を作成することができる。図２に示す成形物（模型用部品提供体）２０１において、それぞれの部材（模型用部品）は、接続部（半球状部）２０６を介して接続されており、接続部２０６は接点２０７において手で切り離すことが可能な程度に接合されている。（すなわち、手で切り離すこととが可能な程度の略点接触にて接続されている。）そのため、それぞれの部材（模型用部品）を切り離すことにより、図４（Ａ）に示すように分解することができる。なお、図４（Ｂ）は、図４（Ａ）に示す部材（模型用部品）を裏面から見た図である。
【００２６】
ここで、第１の部材２０２に設けられた開口部３０１と、第２の部材２０３に設けられた凸部３０２は、噛合して固定可能に設けられている。また、第１の支持部材２０４に設けられた突起部３０３は、開口部３０１に設けられた開口部３０４に噛合して固定可能に設けられている。また、第２の軸部材２０５に設けられた固定部３０５〜３０７は、それぞれ第１の軸部材２０６の裏面に設けられた凹部３０８〜３１０に噛合して固定可能に設けられている。なお、ここで固定部３０５〜３０７はそれぞれほぼ同大・同形であり、凹部３０８〜３１０はそれぞれほぼ同大・同形であるため、固定部３０５〜３０７は、凹部３０８〜３１０のいずれにも噛合可能である。
【００２７】
図４に示す部材（模型用部品）を、それぞれ噛合することにより、図５（Ａ）に示す模型５０１を作成することが可能である。そして、模型５０１は、第２の軸部材２０５に設けられた凸部５０２に人形体５０３を固定することにより、図５（Ａ）に示すような人形体のディスプレイ用の台座として用いることができる。すなわち、成形物（模型部品用提供体）２０１により、模型５０１のための模型用部品であるところの、第１の支持部材２０２と、第２の支持部材２０３と、第１の軸部材２０４と、第２の軸部材２０５が購入客に提供されることになる。そして第１の支持部材２０２と、第２の支持部材２０３と、第１の軸部材２０４と、第２の軸部材２０５とは、半球状の接続部（半球状部）２０６を他の部材の表面に手で切り離すことが可能な程度に略点接触させるか、接続部（半球状部）２０６同士を接点２０７において手で切り離すことが可能な程度に略点接触させることによって互いに接続された模型用部品提供体の形で顧客に提供されているため、従来の模型部品用提供体のように、模型５０１の組立後に、不要なランナー等が生じることはない。
【００２８】
ここで、固定部３０５〜３０７はそれぞれほぼ同大・同形であり、凹部３０８〜３１０はそれぞれほぼ同大・同形であるため、第１の軸部材２０４と第２の軸部材２０５とは伸縮可能となっている。例えば、図６（Ａ）に示すように、固定部３０５と凹部３０９とが噛合する位置に設けた場合、固定部３０５と凹部３０８とが噛合する位置に設けた場合に比べて、軸部材４００の長さを伸ばすことが可能である。
【００２９】
また、第２の軸部材２０５において、軸部材２０５の長辺方向と垂直な面に対して平行でなく任意の角度をもった面上に凸部５０２が設けられている。つまり、凸部５０２の長辺方向の軸と軸部材２０５の長辺方向の軸とは平行ではなく交わる位置に設けられている。
【００３０】
ここで、固定部３０５〜３０７は、表裏どちら向きでも凹部３０８〜３１０と噛合可能なため、第２の軸部材２０５を第１の軸部材２０４に固定する際に、図５等に示す向きと逆向きに固定することにより、図６（Ｂ）に示すように、第２の軸部材２０５の長辺方向の軸に対する凸部５０２の長辺方向の軸の角度を変更することができる。よって、凸部５０２に人形体を固定した際の人形体の角度を容易に変更することができる。
【００３１】
また、本実施の形態の成形物は、図４に示すように、第１の支持部材２０２に開口部３１１が形成され、第２の支持部材２０３に開口部３１２が形成され、第１の軸部材２０４の端部に開口部３１１、３１２と噛合する突起部３１３〜３１６が形成されている。それにより、第１の支持部材２０２と第２の支持部材２０３をそれぞれ開口部３１１、３１２が上側になるように並べて配置し、第２の軸部材２０５を第１の軸部材２０４に固定し、第１の軸部材２０４の突起部３１５、３１６を開口部３１１、３１２に噛合させることにより、図６（Ｃ）に示すように、それぞれの部材をコンパクトに収納することができる。また、図４（Ｂ）に示すように、支持部材２０２、２０３の背面は、凹状になっており、凹状面にパーツ保持部を有する複数の保持部材３１７が設けられている。それにより、支持部材２０２、２０３の凹部内に細かなパーツ等を収納した場合にも、保持部材３１７によって固定保持することが可能である。
【００３２】
本実施の形態の成形装置を用いることにより、複数の成形品（模型用部品）を手で切り離せる程度の強さに接合した成形品（模型用部品提供体）を成形することができるため、成形品（模型用部品提供体）において余分なランナー部分を設ける必要がない。また本実施の形態の成形物（模型用部品提供体）においては、成形品（模型用部品）同士が、接続部（半球状部）を他の部材の表面に略点接触させるか、接続部（半球状部）同士を略点接触させることによって接続されているので、模型組立時には成形品（模型用部品）を手で切り離すことができ、かつ、模型組立後に余分となるランナー部分が生じることはない。よって、特殊な工具が必要なく、廃棄物も生じないため、成形品（模型用部品）を模型として組み立てる場所が限定されず、環境にも優しい成形物（模型用部品提供体）を成形することが可能である。
【図面の簡単な説明】
【００３３】
【図１】本考案の成形装置の構造を説明するための図。
【図２】本考案の成形装置の構造を説明するための図。
【図３】本考案の仕切部材の構造を説明するための図。
【図４】本考案の仕切部材の使用形態を説明するための図。
【図５】本考案の成形装置の構造を説明するための図。
【図６】本考案の仕切部材の構造を説明するための図。
【図７】本考案の仕切部材の構造を説明するための図。
【符号の説明】
【００３４】
１０１    成形装置
１０２    移動金型
１０３    固定金型
１０４    共通金型
【図１】
0003151526.tif 000003
【図２】
0003151526.tif 000004
【図３】
0003151526.tif 000005
【図４】
0003151526.tif 000006
【図５】
0003151526.tif 000007
【図６】
0003151526.tif 000008
【図７】
0003151526.tif 000009